(57)【要約】【課題】前枠と表示パネルとの隙間を段部における段差とスペーサの厚さとで調整している表示装置を提供する。【解決手段】キャビネット１２の前枠１２ｃに液晶表示パネル１４を備え、液晶表示パネル１４と前枠１２ｃの先端部１２ｆとの隙間Ｇを前枠１２ｃの裏面に設けたスペーサ３０の厚さで調整している液晶表示装置であり、前枠１２ｃの裏面に形成された第１段差ｈ１、第２段差ｈ２及び第３段差ｈ３により段になった第１段部２３ａ、第２段部２３ｂ及び第３段部２３ｃを備え、第２段差ｈ２及び第３段差ｈ３が０．５ｍｍであり、隙間Ｇに対応して選択した第１段部２３ａ、第２段部２３ｂ及び第３段部２３ｃのいずれかに厚さが１．２ｍｍのスペーサ３０を貼着して、隙間Ｇを０．２ｍｍ以上１．０ｍｍ以下の許容範囲に調整する。【選択図】図３
2009080293.tif 000002
【特許請求の範囲】
【請求項１】
表示パネルと、該表示パネルの表面の周縁部を覆う前枠を有するキャビネットとを備える表示装置において、
前記前枠の裏面の内周部に複数の段部が周設されており、
前記表示パネルと前記前枠との隙間を調整するスペーサを前記複数の段部のいずれかに取り付けてあることを特徴とする表示装置。
【請求項２】
前記表示パネルを保持する矩形枠状のパネルホルダと、
該パネルホルダ及び前記表示パネルを囲っており、前記前枠の裏面に対向する矩形枠状のベゼルとを備え、
該ベゼルと前記複数の段部のいずれかとの間に前記スペーサを取り付けてあることを特徴とする請求項１に記載の表示装置。
【請求項３】
表示パネルと、該表示パネルの表面の周縁部を覆う前枠を有するキャビネットとを備える表示装置において、
前記表示パネルを保持する矩形枠状のパネルホルダと、
該パネルホルダ及び前記表示パネルを囲っており、前記前枠の裏面に対向する矩形枠状のベゼルとを備え、
該ベゼルの前記裏面に対向する面の内周部に複数の段部が周設されており、
前記表示パネルと前記前枠との隙間を調整するスペーサを前記複数の段部のいずれかに取り付けてあることを特徴とする表示装置。
【請求項４】
前記複数の段部は相似であることを特徴とする請求項１から３までのいずれか一つに記載の表示装置。
【発明の詳細な説明】
【技術分野】
【０００１】
本発明は、キャビネットの前枠と表示パネルとの隙間をスペーサで調整している表示装置に関する。
【背景技術】
【０００２】
従来、表示装置にはプラズマ表示パネル又は液晶表示パネル等の表示パネルが使用されており、表示装置の表示画面大型化、軽量化及び薄型化が図られている（例えば、特許文献１参照）。
【０００３】
例えば液晶表示パネルを使用した薄型の液晶テレビとして次の提案がある。
図７は従来の薄型の液晶テレビの上部を示す部分側断面図である。
薄型の液晶テレビ２は扁平な矩形状のキャビネット３を有し、キャビネット３は長手方向を横方向にして縦置き姿勢でスタンド（図示せず）に支持されている。
キャビネット３の前面は矩形状の前枠３ａをなし、前枠３ａは矩形板状の液晶表示パネル６の周縁を覆っている。
【０００４】
キャビネット３内には、矩形枠状のパネルホルダ７が配設されており、パネルホルダ７は前面の前枠７ａで液晶表示パネル６を保持している。パネルホルダ７及び液晶表示パネル６の周縁６ａは、パネルホルダ７と略同形の矩形枠状のベゼル８に囲われており、前枠７ａの前面はベゼル８の前枠８ａの後面と対向している。
液晶表示パネル６の周縁６ａは、パネルホルダ７の前枠７ａの前面及びベゼル８の前枠８ａの後面で矩形枠状の緩衝材９、９それぞれを介して挟持されており、挟持圧が液晶表示パネル６の表示領域に歪みを生じさせず、良好な画像が得られるようになっている。液晶表示パネル６を挟持した後、ベゼル８はパネルホルダ７にビス４で前枠８ａの四隅が固定されている。
【０００５】
液晶表示パネル６及びベゼル８を取り付けたパネルホルダ７をキャビネット３内に配設する場合、液晶表示パネル６の画像に悪影響を与えないようにするため、キャビネット３の前枠３ａの内周縁の端面が、該端面と対向している液晶表示パネル６に接触しないように、前枠３ａの内周縁の端面と液晶表示パネル６との隙間Ｇが確保されている。
隙間Ｇは、大きすぎるとき液晶テレビ２の見栄えが悪くなるため、ある程度の寸法、例えば０．５ｍｍ以上１．５ｍｍ以下にされている。
【０００６】
しかし、キャビネット３及びパネルホルダ７等の液晶テレビ２の部品及び部材は樹脂製であるため、隙間Ｇは寸法誤差及び組み付け誤差等によりバラツキが生じており、前枠３ａの内周縁の端面と液晶表示パネル６とが接触する場合があり得る。
したがって、隙間Ｇが許容範囲外、例えば０．５ｍｍ以下になった場合、製品のロット単位又は製造日別単位で隙間Ｇの調整の必要性が生じる。
このような許容範囲の隙間Ｇを確保するために、従来の液晶テレビ２ではベゼル８と対向する前枠３ａの裏面に枠に沿って全周に、隙間Ｇを拡げるように厚さの異なるスペーサ５を適切に選択して貼着し、許容範囲の隙間Ｇを確保するようにしていた。
スペーサ５は具体的には粘着加工又は両面テープ張り合わせ加工を施した厚さの異なる不織布のヒメロン（登録商標）であり、例えば幅が１０ｍｍで共通し、厚さが０．５ｍｍ、１．０ｍｍ及び１．５ｍｍの三種類のヒメロンを用意して対応していた。
【特許文献１】特開２００６−２３５４２５号公報
【発明の開示】
【発明が解決しようとする課題】
【０００７】
しかしながら従来のように厚さの異なる隙間調整用のスペーサ５を用意して使用する場合、スペーサ５ごとの在庫管理をする必要があり、煩雑である。
また表示パネル又はキャビネット等の設計変更に伴ってスペーサを変更する場合には、スペーサの手配及び既存のスペーサの在庫処理等に余計な労力を要する。
したがって、隙間調整用のスペーサは同一であって変更を要しないような表示装置が望まれていた。
【０００８】
本発明は、このような事情に鑑みてなされたものであって、その目的とするところは、キャビネットの前枠の裏面に周設した複数の段部にスペーサを取り付ける構成を備えることにより、前枠と表示パネルとの隙間を段部における段差とスペーサの厚さとで調整する表示装置を提供することにある。
【課題を解決するための手段】
【０００９】
本発明の表示装置は、表示パネルと、該表示パネルの表面の周縁部を覆う前枠を有するキャビネットとを備える表示装置において、前記前枠の裏面の内周部に複数の段部が周設されており、前記表示パネルと前記前枠との隙間を調整するスペーサを前記複数の段部のいずれかに取り付けてあることを特徴とする。
【００１０】
このような構成の本発明の表示装置では、表示パネルの表面の周縁部をキャビネットの前枠が覆ったとき、部材の寸法誤差及び組み付け誤差等により、前枠と表示パネルとの間に隙間の大小が生じる。前枠の裏面に周設してある複数の段部のうち、一つの段部にスペーサを全周又は適宜の領域に取り付けることにより、段部における段差とスペーサの厚さとが隙間を確保して調整する。
複数の段部のうち、いずれかの段部における各段差の加算値又は減算値とスペーサの厚さとが、隙間を調整する調整量になる。
【００１１】
本発明の表示装置は、前記表示パネルを保持する矩形枠状のパネルホルダと、該パネルホルダ及び前記表示パネルを囲っており、前記前枠の裏面に対向する矩形枠状のベゼルとを備え、該ベゼルと前記複数の段部のいずれかとの間に前記スペーサを取り付けてあることを特徴とする。
【００１２】
このような構成の本発明の表示装置では、表示パネルの表面の周縁部をキャビネットの前枠が覆ったとき、前枠の裏面がベゼルに対向し、部材の寸法誤差及び組み付け誤差等により、前枠と表示パネルとの間に隙間の大小が生じる。前枠の裏面に周設してある複数の段部のうちの一つの段部とベゼルとの間に、スペーサを一周又は適宜の領域に取り付けることにより、段部における段差とスペーサの厚さとが隙間を確保して調整する。
【００１３】
本発明の表示装置は、表示パネルと、該表示パネルの表面の周縁部を覆う前枠を有するキャビネットとを備える表示装置において、前記表示パネルを保持する矩形枠状のパネルホルダと、該パネルホルダ及び前記表示パネルを囲っており、前記前枠の裏面に対向する矩形枠状のベゼルとを備え、該ベゼルの前記裏面に対向する面の内周部に複数の段部が周設されており、前記表示パネルと前記前枠との隙間を調整するスペーサを前記複数の段部のいずれかに取り付けてあることを特徴とする。
【００１４】
このような構成の本発明の表示装置では、表示パネルの表面の周縁部をキャビネットの前枠が覆ったとき、前枠の裏面がベゼルに対向し、部材の寸法誤差及び組み付け誤差等により、前枠と表示パネルとの間に隙間の大小が生じる。ベゼルの前枠の裏面に対向する面に周設してある複数の段部のうちの一つの段部に、スペーサを全周又は適宜の領域に取り付けることにより、段部における段差とスペーサの厚さとが隙間を確保して調整する。
【００１５】
本発明の表示装置は、前記複数の段部は相似であることを特徴とする。
【００１６】
このような構成の本発明の表示装置では、例えば製品のロット単位又は製造日別等で異なる段部にスペーサを取り付けた場合、異なる段部であっても段部が相似しているため、スペーサの取付位置によって隙間のバラツキが異ならない。
【発明の効果】
【００１７】
本発明の表示装置は、キャビネットの前枠の裏面に周設された複数の段部にスペーサを取り付けているので、段部における段差とスペーサの厚さとにより、キャビネットの前枠と表示パネルとの隙間を調整することができるという効果を有する。
したがって、本発明の表示装置は、段部における段差とスペーサの厚さとで隙間調整できるので、同一厚さのスペーサで隙間調整が可能になり、スペーサの在庫管理及びスペーサの厚さ変更等の労力が不要になる。
【発明を実施するための最良の形態】
【００１８】
以下、図面に基づき、本発明による表示装置の好適な実施の形態について、液晶表示装置を例に挙げて説明する。
図１は本実施の形態に係る液晶表示装置を示す正面図、図２は図１のＩＩ−ＩＩ側断面図、図３は図１のＩＩＩ−ＩＩＩ側断面図である。
液晶表示装置は扁平な矩形状のキャビネット１２を有し、キャビネット１２は長手方向を横方向にして縦置き姿勢でスタンド１０ａに支持されている。
【００１９】
キャビネット１２は矩形額縁状の前キャビネット１２ａと、開口部が前側に形成されており、前キャビネット１２ａの背面側を覆って固定される矩形箱状の後キャビネット１２ｂとからなる。前キャビネット１２ａの前枠１２ｃは、矩形板状の液晶表示パネル１４の表面の周縁部１４ａを、ベゼル１７を介して覆っている。
前枠１２ｃの内周縁部は、前枠１２ｃの内周縁部の端面と液晶表示パネル１４との隙間を狭くして見栄え良くするために、液晶表示パネル１４に向かって後方へ湾曲している。本実施の形態では、内周縁部の先端部１２ｆと液晶表示パネル１４との間に０．２ｍｍ以上、１．０ｍｍ以下の隙間Ｇが形成されるように品質管理している。
【００２０】
本実施の形態に係る表示装置の隙間調整機構は、前枠１２ｃの裏面に複数の段差を形成することにより段になった複数の段部を設けており、部材の寸法誤差及び組み付け誤差等により隙間Ｇが許容範囲外、例えば０．２ｍｍ以下になった場合、前枠１２ｃの先端部１２ｆと液晶表示パネル１４との隙間Ｇに対応して選択した段部にスペーサを貼着して、隙間Ｇを確保するようにしたものである。
【００２１】
液晶表示パネル１４を保持するパネルホルダ１５が、前キャビネット１２ａに取り付けられている。パネルホルダ１５は矩形枠状をなしており、前面に前枠１５ａが形成されている。パネルホルダ１５は略同形状の矩形枠状のベゼル１７に背面側を除き囲われており、ベゼル１７にはパネルホルダ１５の前枠１５ａに対向する前枠１７ａが設けられている。
【００２２】
液晶表示パネル１４の表面（前面）及び裏面（後面）の周縁部１４ａの前後は、パネルホルダ１５の前枠１５ａの前面の内周縁部及びベゼル１７の前枠１７ａの後面の内周縁部で矩形枠状の緩衝材１６、１６それぞれを介して挟持されており、ベゼル１７の前枠１７ａの上側及び下側の中央部と両端部とがビス１１、１１、１１・・・でパネルホルダ１５に固定されている。
【００２３】
パネルホルダ１５の前枠１５ａの後側に液晶表示パネル１４の後面と対向して、液晶表示パネル１４に光を照射するバックライト装置１８が配設されている。バックライト装置１８は、液晶表示パネル１４の後面と対向する側に、チャンネルの突出する両先端部に背面視矩形状の長手方向を横方向にしたフランジ１９ａが上下方向の外向きに突設されたバックライトシャーシ１９に備えられている。フランジ１９ａに複数個の取付孔１９ｂが等配の位置に形成されている。
【００２４】
バックライトシャーシ１９にはフランジ１９ａに向かって広がる開口部２０ａを有する矩形箱状のランプ収容部２０が収納されており、ランプ収容部２０内奥に冷陰極蛍光管２０ｂが複数個備えられている。
【００２５】
開口部２０ａには、液晶表示パネル１４の後側から、光を拡散させる矩形状の拡散板２１と、光出射面の法線方向に集光する矩形板状の光学シート２２とが、密接して配設されている。液晶表示パネル１４の後面は空間を介して光学シート２２に対向しており、液晶表示パネル１４の後面に光が均一に入射するようになっている。
【００２６】
バックライトシャーシ１９のフランジ１９ａの先端は、パネルホルダ１５の内周面の前端部に当接し、フランジ１９ａの前面はパネルホルダ１５の前枠１５ａの後面に当接している。フランジ１９ａの前面が前枠１５ａの後面に当接したとき、ベゼル１７をパネルホルダ１５に固定するビス１１の先端部が、フランジ１９ａの取付孔１９ｂに嵌入し、取付孔１９ｂから突出している。取付孔１９ｂから突出するビス１１の先端部がナット１１ａで螺嵌されており、フランジ１９ａがパネルホルダ１５に固定されている。
バックライトシャーシ１９の背面は、前キャビネット１２ａの背面側の上縁部及び下縁部に固定されたブラケット１２ｄ、１２ｄにビス１２ｅで複数箇所固定されている。
【００２７】
本実施の形態では、ベゼル１７の前枠１７ａに対向する前キャビネット１２ａの前枠１２ｃの裏面に、前枠１２ｃ裏面の内周側から外周側に向けて、前枠１２ｃ裏面の最薄部である内周部の縁面１２ｇから、液晶表示パネル１４と平行であり、高さの違う平面である第１段部２３ａ、第２段部２３ｂ及び第３段部２３ｃが順に高くなるように並んで周設されている。第１段部２３ａ及び第２段部２３ｂは相似の枠状になっており、第３段部２３ｃは前枠１２ｃ裏面の最厚部であり、その外周は前枠１２ｃ裏面の外周である。
【００２８】
縁面１２ｇと第１段部２３ａとの段差である第１段差ｈ１、第１段部２３ａと第２段部２３ｂとの段差である第２段差ｈ２、第２段部２３ｂと第３段部２３ｃとの段差である第３段差ｈ３のうち第２段差ｈ２及び第３段差ｈ３は、それぞれ同一の０．５ｍｍに形成されている。
第１段部２３ａ及び第２段部２３ｂの幅は、後述するスペーサ３０の幅と同程度以上であればよく、第３段部２３ｃの幅は第１段部２３ａ及び第２段部２３ｂより数倍程度広くなっている。
【００２９】
第１段部２３ａの内周、第２段部２３ｂの内周及び第３段部２３ｃの内周の各形状は、前枠１２ｃの内周の形状と相似形であり、同心であるのが好ましい。
第１段部２３ａ、第２段部２３ｂ及び第３段部２３ｃは、ベゼル１７の前枠１７ａに略対向する範囲で設けられている。
【００３０】
スペーサ３０は、幅が１０ｍｍ、厚さが１．２ｍｍのヒメロンを使用している。スペーサ３０の厚さは、第２段差ｈ２と第３段差ｈ３の加算値以上の厚さＰにしており、スペーサ３０の厚さＰと段差との加算値又は減算値が隙間Ｇの調整量になる。
スペーサ３０を貼着する場合、各段部の内周側又は外周側に沿って貼着することによりスペーサ３０の位置決めが容易かつ正確になる。
【００３１】
ところで、本実施の形態では、前枠１２ｃ裏面の最厚部である第３段部２３ｃからベゼル１７の厚さ及び緩衝材１６の厚さの加算値の距離だけ、前枠１２ｃの内周縁部の先端部１２ｆは、液晶表示パネル１４に向かって後方へ突出させており、先端部１２ｆと液晶表示パネル１４との隙間Ｇが、０．２ｍｍ以上１．０ｍｍ以下の許容範囲になるようにしている。
本実施の形態では、第１段部２３ａ、第２段部２３ｂ及び第３段部２３ｃの各選択により、段差の０．５ｍｍを単位として二つの段差の１．０ｍｍが、調整可能である。スペーサ３０の厚さは二つの段差１．０ｍｍ以上の１．２ｍｍにしている。
【００３２】
例えば、製品のロット単位又は製造日別単位でスペーサ３０を貼着しない状態で、第３段部２３ｃとベゼル１７との隙間が１．０ｍｍであり、隙間Ｇが０ｍｍ以上０．２ｍｍ以下の場合、隙間Ｇを調整するために第３段部２３ｃにスペーサ３０を貼着したとき、確保した隙間Ｇは０．２ｍｍ以上０．４ｍｍ以下となり許容範囲に入る。
【００３３】
第３段部２３ｃとベゼル１７との隙間が０．５ｍｍであり、隙間Ｇが０ｍｍ以上０．２ｍｍ以下の場合、隙間Ｇを調整するために第３段部２３ｃにスペーサ３０を貼着したとき、確保した隙間Ｇは０．７ｍｍ以上０．９ｍｍ以下になり許容範囲に入る。これに代えて、第２段部２３ｂにスペーサ３０を貼着したとき、確保した隙間Ｇは０．２ｍｍ以上０．４ｍｍ以下になり許容範囲に入る。
【００３４】
第３段部２３ｃとベゼル１７との隙間が０．２ｍｍであり、隙間Ｇが０ｍｍ以上０．２ｍｍ以下の場合、隙間Ｇを調整するために第２段部２３ｂにスペーサ３０を貼着したとき、確保した隙間Ｇは０．５ｍｍ以上０．７ｍｍ以下になり許容範囲に入る。
【００３５】
第３段部２３ｃとベゼル１７との隙間が０ｍｍであり、隙間Ｇが０ｍｍ以上０．２ｍｍ以下の場合、隙間Ｇを調整するために第２段部２３ｂにスペーサ３０を貼着したとき、確保した隙間Ｇは０．７ｍｍ以上０．９ｍｍ以下となり許容範囲に入る。これに代えて、第１段部２３ａにスペーサ３０を貼着したとき、確保した隙間Ｇは０．２ｍｍ以上０．４ｍｍとなり許容範囲に入る。
【００３６】
なお、スペーサ３０を貼着しない状態で、隙間Ｇが０．２ｍｍ以上１．０ｍｍ以下の場合、隙間調整は不要である。
【００３７】
このように本実施の形態では、隙間Ｇが０ｍｍ以上０．２ｍｍ以下になっている場合、段差０．５ｍｍの各段部に厚さ１．２ｍｍのスペーサ３０を貼着して許容範囲内に隙間Ｇを調整することができる。
【００３８】
本実施の形態では確保する隙間Ｇの最小値を０．２ｍｍとしているが、最小値を０．４ｍｍとする場合、スペーサの厚さから最大段差の１．０ｍｍを差し引いた値が最小値であるから、スペーサの厚さを１．４ｍｍにすればよい。
【００３９】
次に本実施の形態に係る表示パネルの隙間調整機構の組み付け方法及び作用について説明する。
図４は本実施の形態に係る液晶表示装置における隙間の大きさを大にした場合を示す要部拡大側断面図、図５は隙間の大きさを中にした場合を示す要部拡大側断面図、図６は隙間の大きさを小にした場合を示す要部拡大側断面図である。
図３を参照して、先ず、パネルホルダ１５の内側にバックライト装置１８のバックライトシャーシ１９を設置し、パネルホルダ１５及びベゼル１７で緩衝材１６、１６を介して液晶表示パネル１４を挟持し、ベゼル１７及びバックライトシャーシ１９のフランジ１９ａをパネルホルダ１５にビス１１及びナット１１ａで固定した後、バックライトシャーシ１９の背面を前キャビネット１２ａのブラケット１２ｄにビス１２ｅで固定したとき、前キャビネット１２ａの前枠１２ｃの湾曲した内周縁部の先端部１２ｆと液晶表示パネル１４とは、隙間Ｇを形成する。
本実施の形態の場合、スペーサ３０を貼着しない状態で、隙間Ｇが０．２ｍｍ以上１．０ｍｍ以下のとき、隙間調整は不要である。
【００４０】
隙間Ｇが許容範囲外の０ｍｍ以上０．２ｍｍ以下である場合、例えば図５に示すように、先ず、各段部の中央の第２段部２３ｂにスペーサ３０を貼着する。第２段部２３ｂにスペーサ３０を貼着した場合、隙間Ｇが０．２ｍｍから１．０ｍｍまでの許容範囲内にあるとき、隙間調整が不要になる。
【００４１】
第２段部２３ｂにスペーサ３０を貼着している製品のロット単位又は製造日別単位の組み立て工程において、隙間Ｇが許容範囲外の１．０ｍｍ以上、１．５ｍｍ以下になった場合、図６に示すようにスペーサ３０を第１段部２３ａに貼着して隙間を小さくする。本実施の形態の場合、第２段差ｈ２は０．５ｍｍであるので、隙間Ｇは１．０ｍｍ以下になり、許容範囲に入る。
【００４２】
また、第２段部２３ｂにスペーサ３０を貼着している製品のロット単位又は製造日別単位の組み立て工程において、隙間Ｇが許容範囲外の０．２ｍｍ以下になった場合、図４に示すようにスペーサ３０を第３段部２３ｃに貼着して隙間を大きくする。本実施の形態の場合、第３段差ｈ３は０．５ｍｍであるので、隙間Ｇは０．２ｍｍ以上になり、許容範囲に入る。
【００４３】
このように本実施の形態に係る表示パネルの隙間調整機構は、図４に示すように、許容範囲の隙間Ｇにするために第３段部２３ｃにスペーサ３０を貼着した状態から、第３段差ｈ３と第２段差ｈ２との加算値の範囲で各段差を単位として隙間Ｇを小さい値に調整する。
【００４４】
また本実施の形態に係る表示パネルの隙間調整機構は、図６に示すように、許容範囲の隙間Ｇにするために第１段部２３ａにスペーサ３０を貼着した状態から、第２段差ｈ２と第３段差ｈ３との加算値の範囲で各段差を単位として隙間Ｇを大きい値に調整する。
【００４５】
このような構成の本実施の形態に係る表示パネルの隙間調整機構は、各段部における段差とスペーサ３０の厚さとにより、前枠１２ｃの内周縁部と液晶表示パネル１４との隙間を調整することができる。さらに、同一の厚さのスペーサ３０で前枠１２ｃの内周縁部と液晶表示パネル１４との隙間を調整することができ、スペーサごとの在庫管理及びスペーサの変更等の労力が不要となり、隙間調整の必要性に速やかに対応することができる。
【００４６】
なお、本実施の形態では、第２段差ｈ２及び第３段差ｈ３を同じ値にしたが、異なる値にしてもよく、さらに段数を多くしてもよい。また前枠１２ｃの裏面に内周側から外周側に向けて段部を高くしていったが、逆に低くしていってもよい。この場合、隙間を増減させるスペーサの位置が本実施の形態と逆になる。
さらに本実施の形態では前枠１２ｃの内周の形状と各段部の内周の形状を相似形にしたが相似であればよく、また同心でなくてもよい。
また本実施の形態ではスペーサとしてヒメロンを使用したが、これに限らずシート状のものであればよい。
さらに本実施の形態では、ベゼル１７がある場合の表示装置の例を挙げたが、ベゼルなしでも差し支えなく、本実施の形態に係る表示パネルの隙間調整機構を適用することができる。
また本実施の形態では、前枠１２ｃの裏面に段差を設けたが、前枠１２ｃの裏面に段差を設けず、前枠の裏面に対向するベゼル１７の表面側に、本実施の形態と同様の段差を設けるようにしてもよい。
【図面の簡単な説明】
【００４７】
【図１】本実施の形態に係る液晶表示装置を示す正面図である。
【図２】図１のＩＩ−ＩＩ側断面図である。
【図３】図１のＩＩＩ−ＩＩＩ側断面図である。
【図４】本実施の形態に係る液晶表示装置における隙間の大きさを大にした場合を示す要部拡大側断面図である。
【図５】隙間の大きさを中にした場合を示す要部拡大側断面図である。
【図６】隙間の大きさを小にした場合を示す要部拡大側断面図である。
【図７】従来の薄型の液晶テレビの上部を示す部分側断面図である。
【符号の説明】
【００４８】
１２  キャビネット
１２ｃ  前枠
１４  液晶表示パネル（表示パネル）
１４ａ  周縁部
１５  パネルホルダ
１７  ベゼル
２３ａ  第１段部（段部）
２３ｂ  第２段部（段部）
２３ｃ  第３段部（段部）
３０  スペーサ
【図１】
2009080293.tif 000003
【図２】
2009080293.tif 000004
【図３】
2009080293.tif 000005
【図４】
2009080293.tif 000006
【図５】
2009080293.tif 000007
【図６】
2009080293.tif 000008
【図７】
2009080293.tif 000009